(57)【要約】【課題】視聴中に緊急警報放送を受信した場合は１セグモードにすぐ切り替えることをせずに、緊急警報を確実に視聴できるようにした放送受信装置を提供する。【解決手段】モード設定部２３ａは、ＴＶ放送の場合、フルセグまたは１セグの放送モードを放送受信部２２に指示する。モード設定部２３ａは、モード設定部２３ａの制御を行うモード設定制御部４１、そのモードを記憶するモード記憶部４２、放送受信モードを決定するモード決定処理部４４、からなる。モード決定処理部４４は、フルセグモードで緊急警報放送を受信した場合、前記放送受信部が緊急警報放送の終了を検出まではフルセグモードとし、前記放送受信部が緊急警報放送の終了を検出すると１セグモードとし、１セグモードで緊急警報放送を受信した場合、そのまま１セグモードとする。【選択図】図３
2010011032.tif 000002
【特許請求の範囲】
【請求項１】
緊急警報放送を含むＴＶ放送を受信可能な放送受信装置において、
１セグモードを含む複数の放送モードによりＴＶ放送を受信する放送受信部と、
前記放送受信部の受信放送モードを設定するモード設定部と、
を有し、
前記モード設定部は、
１セグ以外のモードで緊急警報放送を受信した場合、前記放送受信部が緊急警報放送の終了を検出するまで受信放送モードを維持し、緊急警報放送の終了を検出すると受信放送モードを１セグモードに切り替えることを特徴とする放送受信装置。
【請求項２】
１セグモードで緊急警報放送を受信した場合、受信放送モードをそのまま１セグモードとすることを特徴とする請求項１に記載の放送受信装置。
【請求項３】
前記放送受信部が検出した緊急警報放送の受信開始時の緊急警報放送開始時刻あるいは緊急警報放送の終了時の緊急警報放送終了時刻を記憶する時刻記憶部を有し、
前記モード設定部は、
緊急警報放送の終了を検出した場合、前記時刻記憶部が記憶している緊急警報放送開始時刻あるいは緊急警報放送終了時刻から現在までの経過時間を算出し、前記経過時間が所定の時間未満であれば、受信放送モードを１セグモードに設定し、所定の時間以上であれば、予め定めたモード決定規則に従って受信放送モードを設定することを特徴とする請求項１又は２に記載の放送受信装置。
【請求項４】
緊急警報を通知するメールを受信可能な通信機能部と、
前記通信機能部が受信したメールが緊急警報に関するメールであることを検出する緊急警報メール受信検知部と、
前記緊急警報メール受信検知部が前記通信機能部において緊急警報に関するメールを受信したことを検知した場合、そのメール受信時刻を記憶するメール時刻記憶部と、
を有し、
前記モード設定部は、
前記緊急警報メール受信検知部が緊急警報に関するメールを検知した場合、前記メール時刻記憶部が記憶したメール受信時刻から現在までの経過時間を算出し、前記経過時間が所定の時間未満であれば、受信放送モードを１セグモードに設定し、所定の時間以上であれば、予め定めたモード決定規則に従って受信放送モードを設定することを特徴とする請求項１、２又は３に記載の放送受信装置。
【発明の詳細な説明】
【技術分野】
【０００１】
本発明は、複数のテレビジョン放送モードを受信可能で、緊急放送を受信したときに１セグモードに切り替えることができる放送受信装置に関し、特にデジタルテレビジョン放送を受信可能な携帯電話、ノートパソコン、ＰＤＡ（Personal Digital Assistant）などの携帯端末に好適な技術に関する。
【背景技術】
【０００２】
近年、携帯電話、ノートパソコン、ＰＤＡ等の携帯端末においても、デジタルテレビジョン放送が受信可能となってきている。しかも、デジタルテレビジョン放送モードは、各種の放送モードが存在し、これら携帯端末もこれら放送モードで受信できるようになっている。
【０００３】
日本の地上デジタル放送方式では、１つのチャンネルが１３の「セグメント」に分割されており、これをいくつか束ねて映像やデータ、音声などを送信している。ハイビジョン放送（ＨＤＴＶ）は１２セグメント、通常画質の放送（ＳＤＴＶ）は４セグメントを必要とする（以降、この放送モードをフルセグモードと称する）。また、この１３のセグメントのうち、１つを移動体向け放送用としている（以降、この放送モードを１セグモードと称する）。１セグ放送は、帯域が通常放送の１／４と狭いため、ＱＶＧＡ（３２０×２４０ピクセル）サイズの低解像度の映像しか伝送できないが、視聴のために必要なデコード等のデータ量を大幅に軽減できる。従って、省電力の面で有利であり、長時間の視聴を可能とする。
【０００４】
さて、地震、津波、台風などの災害発生には緊急警報信号が放送されるが、この場合は刻々と変化する状況を把握するためも、長時間の視聴ができるほうがよい。そこで、特許文献１には、受信したデレビジョン放送データ中に緊急警報信号が存在した場合、フルセグモードから１セグモードへの自動切り替えを実行する受信装置が開示されている。
【特許文献１】特開２００７−３１２１２７号公報
【発明の開示】
【発明が解決しようとする課題】
【０００５】
しかし、特許文献１の受信装置では、緊急警報信号を受信したとたんに、フルセグ放送モードから１セグモードに切り替えるため、切り換えの間、ノイズ等により画面が乱れて肝心の緊急警報を視聴できない場合が生じる恐れがある。受信状態が良好であればよいが、そうではないと、１セグは画質が劣るモードでもあり、緊急警報の視聴ができない可能性は高くなる。
【０００６】
本発明は、斯かる実情に鑑み、視聴中に緊急警報放送を受信した場合は１セグモードにすぐ切り替えることをせずに、緊急警報を確実に視聴できるようにした放送受信装置を提供しようとするものである。
【課題を解決するための手段】
【０００７】
本発明は、緊急警報放送を含むＴＶ放送を受信可能な放送受信装置において、
１セグモードを含む複数の放送モードによりＴＶ放送を受信する放送受信部と、前記放送受信部の受信放送モードを設定するモード設定部と、を有し、
前記モード設定部は、１セグ以外のモードで緊急警報放送を受信した場合、前記放送受信部が緊急警報放送の終了を検出するまで受信放送モードを維持し、緊急警報放送の終了を検出すると受信放送モードを１セグモードに切り替えることを特徴とする。
【０００８】
また、１セグモードで緊急警報放送を受信した場合、受信放送モードをそのまま１セグモードとすることを特徴とする。
【０００９】
ここで、本発明は、さらに前記放送受信部が検出した緊急警報放送の受信開始時の緊急警報放送開始時刻あるいは緊急警報放送の終了時の緊急警報放送終了時刻を記憶する時刻記憶部を有し、
前記モード設定部は、緊急警報放送の終了を検出した場合、前記時刻記憶部が記憶している緊急警報放送開始時刻あるいは緊急警報放送終了時刻から現在までの経過時間を算出し、前記経過時間が所定の時間未満であれば、受信放送モードを１セグモードに設定し、所定の時間以上であれば、予め定めたモード決定規則に従って受信放送モードを設定することを特徴とする。
【００１０】
さらに本発明は、さらに緊急警報を通知するメールを受信可能な通信機能部と、前記通信機能部が受信したメールが緊急警報に関するメールであることを検出する緊急警報メール受信検知部と、前記緊急警報メール受信検知部が前記通信機能部において緊急警報に関するメールを受信したことを検知した場合、そのメール受信時刻を記憶するメール時刻記憶部と、を有し、
前記モード設定部は、前記緊急警報メール受信検知部が緊急警報に関するメールを検知した場合、前記メール時刻記憶部が記憶したメール受信時刻から現在までの経過時間を算出し、前記経過時間が所定の時間未満であれば、受信放送モードを１セグモードに設定し、所定の時間以上であれば、予め定めたモード決定規則に従って受信放送モードを設定することを特徴とする。
【発明の効果】
【００１１】
以上のような構成を有する本発明によれば、緊急警報放送を受信しても直後に受信放送モードを変えないので、画面の乱れを防止して、緊急警報を聞き逃すことがない。さらに、緊急警報放送終了後は受信放送モードが、常に１セグモードに設定されるので、長時間視聴可能となる。
【００１２】
また、緊急警報放送が終了しても、所定の期間内は、緊急事態が続いていることが想定されるので、この期間内は引き続き１セグで受信することにより、緊急時に求められるであろう長時間の受信を可能とするニーズに応えることができる。その時間を過ぎると、ユーザの所望のモードでの視聴を可能とする。
【００１３】
また、緊急警報メールを受信したときも、所定の期間内は、緊急事態が続いていることが想定される。この期間に、ＴＶ受信可能状態になった場合には１セグで受信することにより、緊急時に求められるであろう長時間の受信を可能とするニーズに応えることができる。
【発明を実施するための最良の形態】
【００１４】
以下、本発明の実施の形態を添付図面を参照して説明する。
【００１５】
図１は、本発明に係る放送受信装置である携帯電話１０の一実施形態を示す概観図である。携帯電話１０は、液晶画面からなる表示部２５、キー入力部２８および図示しない放送用アンテナ、通信用アンテナを有する。表示部２５はＴＶ映像画面１２とデータ放送画面１３を有しており、緊急警報放送はＴＶ映像画面１２に表示される。
【００１６】
図２は、携帯電話１０の一実施形態を示すブロック図である。この携帯電話１０は、ＴＶ放送を受信する放送アンテナ２１、緊急警報放送を含むＴＶ放送信号を受信してトランスポートストリーム（ＴＳ）の復調および、前記ＴＳから映像、音声、データ放送、字幕、ＰＳＩ（番組特定情報）／ＳＩ（番組配列情報）、緊急警報放送起動情報等の各メディア情報をデコードする機能を有する放送受信部２２、前記放送受信部２２のチューナーに対してＴＶ放送の受信モードを指示するモード設定部２３、携帯電話の制御情報等を記憶する記憶部２４、メニュー表示やＴＶ機能起動でＴＶ映像などを表示する表示部２５、音声を出力するスピーカ２６、音声を入力するマイク２７、ユーザからのキー入力を受け付けるキー入力部２８、携帯電話の通信を制御・実行する通信機能部２９、通信用アンテナ３０、および各部を制御する制御部３１、からなる。記憶部２４は、制御部３１を動作処理させるプログラム、携帯電話として使用するための通話先アドレス情報、ＴＶ放送のチャンネル情報等が記憶され、制御部３１は、必要な情報を記憶部２４から読み出したり、書き込んだりしながら動作する。
【００１７】
この携帯電話１０は、フルセグモードと１セグモードの受信が可能である。ユーザがキー入力部２８からＴＶ放送受信モードを指定して所望のチャンネルを入力すると、その指示信号を受けた制御部３１は、放送受信部２２に入力されたチャンネルのＴＶ放送を受信させる。放送受信部２２は、放送アンテナ２１を介して、モード設定部２３に指定された放送モードでＴＶ放送信号を受信する。受信したＴＶ放送信号を受けた制御部３１は、ＴＶ放送信号に含まれる映像信号と音声信号を処理して、表示部２５に映像を表示させるとともに、スピーカ２６から音声を出力させる。
【００１８】
また、携帯電話１０は、電話機機能も有しており、ユーザがキー入力部２８から電話モードを指定して通話相手番号を入力すると、制御部３１は、通信機能部２９に通信用アンテナ３０を介して通信相手先に対して発呼処理をさせる。通話相手に接続できれば、制御部３１は、マイク２７から入力される音声を通信機能部２９と通信用アンテナ３０を介して相手先に送信し、相手先からの音声を通信用アンテナ３０と通信機能部２９を介してスピーカ２６から出力する。
【００１９】
さて、この携帯電話１０は、災害等の緊急警報放送の信号を放送受信部２２が受信した場合に、受信に最適な放送モードを設定する。モード設定部２３のモード設定処理にいくつかの実施例があり、それを以下に説明する。
【実施例１】
【００２０】
図３は、モード設定部２３の実施例１を示す内部ブロック図である。実施例１のモード設定部２３ａは、ＴＶ放送の場合、フルセグまたは１セグの放送モードを放送受信部２２に指示する。モード設定部２３ａは、モード設定部２３ａの制御を行うモード設定制御部４１、そのモードを記憶するモード記憶部４２、放送受信モードを決定するモード決定処理部４４、からなる。モード決定処理部４４は、フルセグモードで緊急警報放送を受信した場合、前記放送受信部が緊急警報放送の終了を検出まではフルセグモードとし、前記放送受信部が緊急警報放送の終了を検出すると１セグモードとし、１セグモードで緊急警報放送を受信した場合、そのまま１セグモードとする。
【００２１】
図４は、実施例１のモード設定部２３ａを有する携帯電話１０の緊急警報放送信号受信における処理手順を示すフローチャートである。
【００２２】
ユーザによるキー入力部２８から指示に基づいて、制御部３１がＴＶ機能を起動し、モード設定部２３ａ経由で放送受信部２２にフルセグモード受信を指示して、放送波を受信したとする（ステップＳ１）。このとき、制御部３１は、放送受信部２２に緊急警報放送信号の監視を指示し、その結果を待つ（ステップＳ２）。放送受信部２２が「緊急警報放送信号あり」を検出すると（ステップＳ２；Ｙｅｓ）、制御部３１に通知する。制御部３１は、緊急警報放送を受信し、映像を表示部２５に、音声をスピーカ２６に出力する（ステップＳ３）。その後、制御部３１は、放送受信部２２に緊急警報放送終了の検出を指示し、放送受信部２２からの結果を待つ（ステップＳ４）。
【００２３】
制御部３１が放送受信部２２から緊急警報放送の終了を受けると（ステップＳ４；Ｙｅｓ）、制御部３１は、モード設定部２３ａにモード設定をするよう指示する。モード設定制御部４１は、モード決定処理部４４に放送受信モードを決定させる。モード決定処理部４４は、モード記憶部４２から、設定モード情報を引き出して現在の受信モードを確認する（ステップＳ５）。
【００２４】
図５、図６には、モード記憶部４２に記憶されている設定モード情報を示す。図５に示すように、モード記憶部４２に記憶されている設定モード情報が「フルセグ」であれば、現在の受信モードがフルセグということであるので、モード決定処理部４４は、１セグモードと決定し、モード設定制御部４１は１セグモードで受信するように放送受信部２２に指示する（ステップＳ６）。そして、放送受信部２２は、１セグモードで受信するとともに、モード設定制御部４１はモード記憶部４２に設定モード情報「１セグ」と記憶する（ステップＳ７）。図６に示すように、ステップＳ５において、モード記憶部４２に記憶されている設定モード情報が「１セグ」であれば、モード決定処理部４４は「１セグ」と決定し、モード設定制御部４１は、そのまま１セグ受信を続けることを放送受信部２２に指示し、放送受信部２２は、１セグモードで受信する（ステップＳ７）。
【００２５】
その後、１セグモード受信中も緊急警報放送に備え、制御部３１は、放送受信部２２に緊急警報放送信号の監視を指示し、結果を待つ（ステップＳ８）。放送受信部２２が緊急警報放送信号ありを検出すると（ステップＳ８；Ｙｅｓ）、制御部３１に通知する。制御部３１は、ステップＳ３に戻って、緊急警報放送を受信し、映像を表示部２５に、音声をスピーカ２６に出力する。以降は同じ動作を繰り返す。放送受信部２２が緊急警報放送信号ありを検出しなければ（ステップＳ８；Ｎｏ）、ステップＳ７に戻り、１セグ受信を続ける。
【００２６】
このように、緊急警報放送の信号を検出しても、すぐにはフルセグから１セグへと受信放送モードを切り替えずに緊急警報放送が終了してから切り替えるので、画面の乱れも生じず、画面も画質の良いフルセグモードなので、緊急警報を見逃すことなく、かつ、緊急警報放送終了後は長時間視聴可能となる。
【００２７】
また、実施例１においては、緊急警報放送が終了してから放送モードの切換えを行ったが、ある緊急警報放送番組が一旦終了し、続けて別の緊急警報放送番組が開始される、すなわち「緊急警報放送は継続しているが、番組は変わる」場合には、（１）前の番組が終わった時点で１セグモードに切り替える、（２）緊急警報放送である間は切り替えない、の２通りの選択をできるようにしてもよい。
【実施例２】
【００２８】
実施例２では、緊急警報放送受信後に、一度ＴＶ視聴終了させた後、新たに前記放送受信部２２の機能を起動させた際に、モード決定規則で決定したモードにより前記放送受信部２２を動作させる例について記載する。
【００２９】
図７は、モード設定部２３の実施例２を示す内部ブロック図である。
このモード設定部２３ｂは、モード設定部２３ｂの制御を行うモード設定制御部４１、放送受信モードを記憶するモード記憶部４２、前記放送受信部２２が緊急警報放送の受信時には放送開始時刻を記憶する時刻記憶部４３、放送受信モード決定するモード決定処理部４４からなる。ここで、モード決定処理部４４は、緊急警報放送の終了を検出した場合、時刻記憶部４３が記憶している緊急警報放送開始時刻あるいは緊急警報放送終了時刻から現在までの経過時間を算出し、前記経過時間が所定の時間未満であれば、受信放送モードを１セグモードに決定し、所定の時間以上であれば、予め定めたモード決定規則に従って受信放送モードを決定する。
【００３０】
図８は、実施例２のモード設定部２３ｂを有する携帯電話１０の緊急警報放送信号受信における処理手順を示すフローチャートである。
【００３１】
ユーザによるキー入力部２８からの指示で、制御部３１がＴＶ機能を起動する（ステップＳ１１）。このとき、制御部３１は、モード設定部２３ｂに対してモード設定を指示する。モード設定部２３ｂのモード設定制御部４１は、時刻記憶部４３から、緊急警報放送開始時刻（図９参照）を読み出す。時刻記録の有無で、緊急放送受信履歴の有無がわかる（ステップＳ１２）。履歴無しの場合（ステップＳ１２；Ｎｏ）、モード記憶部４２に記憶されている設定モード情報、すなわち現在設定のモードで受信する（ステップＳ１９）。履歴有りの場合（ステップＳ１２；Ｙｅｓ）、モード設定制御部４１は、モード設定部２３ｂのモード決定処理部４４に放送受信モードを決定するように指示する。モード決定処理部４４は、現在時刻と前記緊急警報放送開始時刻の差分を計算して経過時間を得る（ステップＳ１３）。経過時間が規定時間以内か否かを判定する（ステップＳ１４）。経過時間が規定時間以内の場合は（ステップＳ１４；Ｙｅｓ）、モード決定処理部４４は、放送受信モードを“１セグ”に決定する。モード設定制御部４１は、モード記憶部４２に１セグ受信モードを記憶し（図６参照）、同時に、放送受信部２２に対して１セグ受信を指示する（ステップＳ１５）。放送受信部２２は、１セグモードで受信する（ステップＳ１６）。
【００３２】
経過時間が規定時間を越える場合（ステップＳ１４；Ｎｏ）、モード決定処理部４４は、モード決定規則に基づくモードを決める。モード決定規則としては、例えば、「前回視聴時のモード（フルセグまたは、１セグ）を設定モードとする」がある。モード設定制御部４１は、モード記憶部４２には前回視聴時のモードを、引き続き、設定モード情報として記憶保持し（図５または図６参照）、同時に、放送受信部２２に対してそのモードを指示する（ステップＳ１８）。放送受信部２２は、設定モードで受信する（ステップＳ１９）。
【００３３】
ステップＳ１７，Ｓ２０では、制御部３１は、受信を継続しながら緊急警報放送に備え、放送受信部２２に緊急警報放送信号の監視を指示し、その結果を待つ。放送受信部２２が緊急警報放送信号ありを検出すると制御部３１に通知する。制御部３１は、緊急警報放送を受信し、映像を表示部２５に、音声をスピーカ２６に出力する（図４のステップＳ３）。
【００３４】
実施例２においては、緊急警報放送受信から所定の期間（所定の時間）内は、緊急事態が続いていることが想定されるので、この期間内は引き続き１セグで受信することにより、緊急時に求められるであろう長時間の受信を可能とするニーズに応えることができる。所定の期間を超えると、もはや画質の劣る１セグモードである必要も無いので、予めユーザがキー入力部２８から設定したモード決定規則に従ってモードを決定する。
【００３５】
また、実施例２においては、時刻記憶部４３に記憶する時刻を緊急警報放送開始時刻と記載したが、緊急警報放送終了時刻を用いてもよい。このときは、前記放送受信部２２が緊急警報放送受信後に緊急警報放送終了を検出した時点で、図９に示すように、緊急警報放送終了時刻を時刻記憶部４３に記憶する。
【実施例３】
【００３６】
実施例３では、ＴＶ機能非動作状態の場合に、緊急警報放送以外の手段で緊急警報が通知されるケースを受信する場合にも実施例２と同様な動作をする携帯電話の例を記載する。
【００３７】
ＴＶ機能非動作状態とは、端末がおかれている受信環境が悪化した等の理由でＴＶ視聴できない状態や、緊急警報放送にする自動起動に未対応端末がＴＶを起動をしていない状態を想定する。
【００３８】
本実施例では、図２のモード設定部２３の内部ブロック構成を、図１０のように構成する。
【００３９】
このモード設定部２３ｃは、モード設定部２３ｃの制御を行うモード設定制御部４１、放送受信モードを記憶するモード記憶部４２、前記通信機能部２９でメール受信時に緊急警報が通知されるメール（これ以降は、緊急警報メールと呼ぶ）かどうか判定する緊急警報メール受信検知部４５、緊急警報メールの受信時にはメール受信時刻を記憶する時刻記憶部４３、放送受信モードを決定するモード決定処理部４４、からなる。ここで、モード決定処理部４４は、前記緊急警報メール受信検知部４５が緊急警報メールを検知した場合、前記時刻記憶部４３が記憶したメール受信時刻から現在までの経過時間を算出し、前記経過時間が所定の時間未満であれば、受信放送モードを１セグモードに決定し、所定の時間以上であれば、予め定めたモード決定規則に従って受信放送モードを決定する。
なお、モード設定制御部４１、モード記憶部４２、時刻記憶部４３、モード決定処理部４４は、ＴＶ機能が動作しているときは、当然実施例２に説明した処理動作も行う。
【００４０】
図１１は、実施例３のモード設定部２３ｃを有する携帯電話１０の緊急警報放送信号受信における処理手順を示すフローチャートである。
【００４１】
制御部３１は、待機モードでＴＶ機能を起動していない状態か、ＴＶ起動しても受信環境が悪い等の理由で受信できない状態にある（ステップＳ３１）。このとき、制御部３１は、通信機能部２９でメール受信時に、そのメールをモード設定部２３ｃに送り、緊急警報メールかどうか判定することを指示する（ステップＳ３２）。モード設定部２３ｃのモード設定制御部４１は、緊急警報メール受信検知部４５に緊急警報メールかどうか判定させ、緊急警報メール受信検知部４５が受信メールを緊急警報メールと判定した場合（ステップＳ３２；Ｙｅｓ）、モード設定制御部４１は、図１２のように、メール受信の受信時刻をモード設定部２３ｃの時刻記憶部４３に記憶する（ステップＳ３３）。その後、制御部３１は、ユーザのキー入力部２８の操作あるいは、視聴予約等のＴＶ機能起動要求を待つ（ステップＳ３４）。
【００４２】
起動要求がない場合（ステップＳ３４；Ｎｏ）、ステップＳ３２に戻る。緊急警報メール検知なしの場合（ステップＳ３２；Ｎｏ）、ステップＳ３４に行き、ＴＶ機能起動要求を待つ。ＴＶ機能起動要求があると（ステップＳ３４；Ｙｅｓ）、モード設定部２３ｃのモード設定制御部４１は、時刻記憶部４３から、前記緊急警報メール受信時刻を読み出す。時刻記録の有無で、緊急警報メール受信履歴の有無がわかる（ステップＳ３５）。履歴無しの場合（ステップＳ３５；Ｎｏ）、モード記憶部４２から設定モード情報を読み出して現在設定のモードで受信する（ステップＳ４２）。
【００４３】
履歴有り（ステップＳ３５；Ｙｅｓ）の場合、モード設定制御部４１は、モード設定部２３ｃのモード決定処理部４４に放送受信モードを決定するように指示する。モード決定処理部４４は、現在時刻と前記緊急警報メール受信時刻の差分を計算して経過時間を得る（ステップＳ３６）。
【００４４】
経過時間が規定時間以内か否かを判定する（ステップＳ３７）。経過時間が規定時間以内の場合は（ステップＳ３７；Ｙｅｓ）、モード決定処理部４４は、放送受信モードを“１セグ”に決定する。モード設定制御部４１は、モード記憶部４２に１セグ受信モードを記憶し（図６参照）、同時に、放送受信部２２に対して１セグ受信を指示する（ステップＳ３８）。放送受信部２２は、１セグモードで受信する（ステップＳ３９）。
【００４５】
経過時間が規定時間を越える場合（ステップＳ３７；Ｎｏ）、モード決定処理部４４は、モード決定規則に基づくモードを決める。モード決定規則としては、例えば、「前回視聴時のモード（フルセグまたは、１セグ）を設定モードとする」がある。モード設定制御部４１は、モード記憶部４２に前回視聴時のモードを、引き続き、設定モード情報として記憶保持（図６または図７）し、同時に、放送受信部２２に対してそのモードを指示する（ステップＳ４１）。放送受信部２２は、設定モードで受信する（ステップＳ４２）。
【００４６】
ステップＳ４０，Ｓ４３では、制御部３１は、受信を継続しながら緊急警報放送に備え、放送受信部２２に緊急警報放送信号の監視を指示し、その結果を待つ。放送受信部２２が緊急警報放送信号ありを検出すると制御部３１に通知する。制御部３１は、緊急警報放送を受信し、映像を表示部２５に、音声をスピーカ２６に出力する（図４のステップＳ３）。
【００４７】
端末がおかれている受信環境が悪化した等の理由でＴＶ視聴できない状態や、緊急警報放送にする自動起動に未対応端末がＴＶを起動していない状態のようなＴＶ機能非動作状態でも、通信経由で緊急警報メールの受信が可能である。
【００４８】
緊急警報メールが出るような場合、所定の期間内は、緊急事態が続いていることが想定される。この期間に、ＴＶ受信可能状態になった場合には１セグで受信することにより、緊急時に求められるであろう長時間の受信を可能とするニーズに応えることができる。
【００４９】
実施例３においては、緊急警報メールの他に、緊急警報放送の終了を通知するメールである緊急警報放送終了メールを受信した場合にも同様に適用できる。従って、緊急警報メール受信検知部４５は、緊急警報メールや緊急警報放送終了メール等の緊急警報に関するメールを検知し、時刻記憶部４３は、そのメール受信時刻を記憶する。
【００５０】
ＴＶ受信状況が悪く、完全にＴＶ視聴が不可能の場合は、上記実施例３の処理を適用するが、ＴＶ視聴が可能になったり、不可能になったりするような受信状況の場合においても、実施例３の処理を優先して行う。ＴＶ視聴が完全に可能な場合に、緊急警報メールを受信した場合は、実施例２と実施例３のどちらを適用するかは、予めユーザがモード設定しておき、それに従って処理を行う。
【図面の簡単な説明】
【００５１】
【図１】本発明に係る放送受信装置である携帯電話の一実施形態を示す概観図である。
【図２】携帯電話の一実施形態を示すブロック図である。
【図３】モード設定部の実施例１を示す内部ブロック図である。
【図４】実施例１のモード設定部を有する携帯電話の緊急警報放送信号受信における処理手順を示すフローチャートである。
【図５】モード記憶部に記憶されている設定モード情報を示す図である。
【図６】モード記憶部に記憶されている他の設定モード情報を示す図である。
【図７】モード設定部の実施例２を示す内部ブロック図である。
【図８】実施例２のモード設定部を有する携帯電話の緊急警報放送信号受信における処理手順を示すフローチャートである。
【図９】緊急警報放送の開始時刻と終了時刻を示す図である。
【図１０】モード設定部の実施例３を示す内部ブロック図である。
【図１１】実施例３のモード設定部を有する携帯電話の緊急警報放送信号受信における処理手順を示すフローチャートである。
【図１２】緊急警報メールの受信時刻を示す図である。
【符号の説明】
【００５２】
１０  携帯電話
１２  映像画面
１３  データ放送画面
２１  放送アンテナ
２２  放送受信部
２３，２３ａ，２３ｂ，２３ｃ  モード設定部
２４  記憶部
２５  表示部
２６  スピーカ
２７  マイク
２８  キー入力部
２９  通信機能部
３０  通信用アンテナ
３１  制御部
４１  モード設定制御部
４２  モード記憶部
４３  時刻記憶部
４４  モード決定処理部
４５  緊急警報メール受信検知部
【図１】
2010011032.tif 000003
【図２】
2010011032.tif 000004
【図３】
2010011032.tif 000005
【図４】
2010011032.tif 000006
【図５】
2010011032.tif 000007
【図６】
2010011032.tif 000008
【図７】
2010011032.tif 000009
【図８】
2010011032.tif 000010
【図９】
2010011032.tif 000011
【図１０】
2010011032.tif 000012
【図１１】
2010011032.tif 000013
【図１２】
2010011032.tif 000014